(57)【要約】【課題】出力光コネクタ外れの検出機能を有する光ファイバ増幅器および方法において、高コストのフォトダイオードを用いずに入力段と出力段のモニタ用フォトダイオードのみで経済的な光ファイバ増幅器および方法を提供する。【解決手段】光ファイバ増幅器において、増幅用の励起ＬＤ光源に高速変調信号を印加し、後段の光出力モニタで受信する。一方、光ファイバ増幅器の出力光コネクタが外れた際に発生する戻り光を前段モニタＰＤで取り出し、後段モニタＰＤの光出力と共に差動増幅器へ入力し、両者の差動増幅した電圧について、所定の電圧閾値をオーバした場合に、出力光コネクタが外れていることを検出すると共に励起光源（励起ＬＤ）の動作を停止させ、外部出力に不要な光輻射の発生を防止する。【選択図】    図１
2005019567.tif 000002
【特許請求の範囲】
【請求項１】
光伝送路の損失を光ファイバ上で補填する光ファイバ増幅器において、
増幅用の励起レーザダイオード光源に変調信号を印加する手段と、
前記励起レーザダイオード光源からの被変調信号を後段の光出力モニタで受信する手段と、
出力光コネクタで反射した前記光ファイバ増幅器の戻り光を前段の光入力モニタで受信する手段と、
前記被変調信号と前記戻り光を検波し、その差分を比較することにより出力光コネクタ外れを検出する手段とを備えたことを特徴とする光ファイバ増幅器。
【請求項２】
光伝送路の損失を光ファイバ上で補填する光ファイバ増幅器において、
増幅用の励起レーザダイオード光源に変調信号を印加する手段と、
前記励起レーザダイオード光源からの被変調信号をレーザダイオード内蔵の後方フォトダイオードで受信する手段と、
前記励起レーザダイオード光源の一部を出力光コネクタに送出する一方、出力光コネクタで反射した前記光ファイバ増幅器の戻り光を前段モニタで受信する手段と、
前記被変調信号と前記戻り光を検波しその差分を比較することにより出力光コネクタ外れを検出する手段とを備えたことを特徴とする光ファイバ増幅器。
【請求項３】
光伝送路の損失を光ファイバ上で補填する光ファイバ増幅器において、
前記励起レーザダイオード光源と異なる光コネクタ外れ検出用レーザダイオード光源に変調信号を印加する手段と、
前記光コネクタ外れ検出用レーザダイオード光源からの被変調信号を受信する手段と、
前記光コネクタ外れ検出用レーザダイオード光源の発射光を出力光コネクタに送出する一方、出力光コネクタで反射した前記光ファイバ増幅器の戻り光を前段モニタで受信する手段と、
前記被変調信号と前記戻り光を検波し、その差分を比較することにより出力光コネクタ外れを検出する手段とを備えたことを特徴とする光ファイバ増幅器。
【請求項４】
出力光コネクタ外れ検出方法であって、
増幅用の励起レーザダイオード光源に変調信号を印加するステップと、
前記励起レーザダイオード光源からの被変調信号を後段の光出力モニタで受信するステップと、
出力光コネクタで反射した前記光ファイバ増幅器の戻り光を前段の光入力モニタで受信するステップと、
前記被変調信号と前記戻り光を検波し、その差分を比較することにより出力光コネクタ外れを検出するステップとを含むことを特徴とする出力光コネクタ外れ検出方法。
【請求項５】
出力光コネクタ外れ検出方法であって、
前記励起レーザダイオード光源と異なる光コネクタ外れ検出用レーザダイオード光源に変調信号を印加するステップと、
前記光コネクタ外れ検出用レーザダイオード光源からの被変調信号を受信するステップと、
前記光コネクタ外れ検出用レーザダイオード光源の発射光を出力光コネクタに送出する一方、出力光コネクタで反射した前記光ファイバ増幅器の戻り光を前段モニタで受信するステップと、
前記被変調信号と前記戻り光を検波し、その差分を比較することにより出力光コネクタ外れを検出するステップとを含むことを特徴とする出力光コネクタ外れ検出方法。
【発明の詳細な説明】
【０００１】
【発明の属する技術分野】
本発明は、光ファイバ増幅器における出力光コネクタ外れ検出方法に係り、特に、光ファイバ増幅器の出力に備えられる出力光コネクタが何らかの影響で外れた場合に、その出力光コネクタの外れを検出すると共に励起光源（励起ＬＤ）の動作を停止させ、外部出力に不要な光輻射の発生を防止するための光ファイバ増幅器における出力光コネクタ外れ検出方法に関する。
【０００２】
近年のインターネットの急速な普及により、ディジタル信号の長距離、大容量伝送の需要は非常に高まっている。その実現方法として光ファイバ上で損失を補填する光ファイバ増幅方式が一般化している。
光ファイバ増幅器は、エルビューム添加ファイバＥＤＦ（Ｅｒｂｉｕｍ  Ｄｏｐｅｄ  Ｆｉｂｅｒ）からなる増幅媒体と、増幅用の励起ＬＤ光源を備えている。このエルビューム添加ファイバＥＤＦは、光信号を光のまま増幅して出力する増幅媒体であり、光伝送路の損失補償等に適用することができる。
【０００３】
一方、光ファイバ増幅器出力の光レベルは非常に強力であり、増幅器の出力を直視または浴びた場合は人体に対して有害となる。そのため、国際電気委員会（ＩＥＣ６０８２５−１）等で取り扱いの基準が設けられている。
光ファイバ増幅方式は、運用中には人体に有害なレーザ光は輻射していないため、安全性は特に考慮しなくて良いが、光増幅器出力の光コネクタが何らかの影響で外れて抜けた場合は、高出力のレーザ光出力が外部に輻射してしまうために、出力光コネクタ外れの場合、これらの安全対策が必要となる。
【０００４】
【従来の技術】
図８は、一般的な光ファイバ増幅器の模式図である。同図に示すように、光伝送路より光入力される光ファイバ増幅器１の入力側には、入力光コネクタ２が設けられ、一方、光伝送路に光出力される光ファイバ増幅器１の出力側には、出力光コネクタ３が設けられている。
【０００５】
図９は、従来の光入力断検出方法の説明図（その１）である。同図において、１１  、１２  、１３  ・・・は、光送信器１００から発信される主伝送信号が光伝送路により損失を受けるのを補償するために設けられた光信号を増幅する光ファイバ増幅器であり、光伝送信号が上流から下流に向かって伝達される構成を示す。ここで、光ファイバ増幅器１３  の入力部で光入力断を検出すると、光コネクタ外れ信号が前段の光ファイバ増幅器１２  に通知される。
【０００６】
即ち、この従来方法は、伝送路の下流側からの光入力断信号を検出し、上流の光ファイバ増幅器に対し、光出力を低下させる機能を持つものであり、光ファイバ増幅器としては光出力を低下させるための機能が必要なだけあり、広く一般に用いられている方法である。
図１０は、従来の光入力断検出方法の説明図（その２）である。同図において、２は入力側に設けられた入力光コネクタ、４は入力された信号光を分岐する光カプラ、５は信号光を所定レベルまで増幅するエルビューム添加ファイバ（ＥＤＦ）、６は出力光コネクタからの戻り光を分岐するビームスプリッタ、７は出力光コネクタ、８は光ファイバ増幅器の前段部分に設けられた入力信号光を受光してモニタするための入力光モニタフォトダイオード（ＰＤ）、９は光伝送路から光ファイバ増幅器への光信号入力の有無を検出する光入力断検出部、１１はＥＤＦ５を励起するための励起レーザダイオード光源（ＬＤ）、１２は励起レーザダイオード光源１１を駆動するレーザダイオード駆動回路、１３は光レベルを調整する自動レベル制御回路（ＡＬＣ）、１４は光ファイバ増幅器の後段部分に設けられた出力信号光を受光してモニタするための光出力モニタフォトダイオード、１５’は出力光コネクタ外れの信号と出力光レベルを比較するための直流信号差動増幅器である。
【０００７】
この従来方法（その２）は、光ファイバ増幅器１の内部の後段部分にモニタ用フォトダイオード１４と共に、戻り光を検出する光コネクタ外れ検出フォトダイオード２１が挿入されており、光コネクタが外れた場合、フレネル反射と呼ばれる戻り光が発生し、コネクタが付いている場合と比較して大きな反射光が得られる。この現象を利用してコネクタの反射光のレベルを監視して光コネクタ外れの有無を検出する方法である（例えば、特許文献１参照。）。
【０００８】
図１１は、従来の光コネクタはずれ時シャッタ付コネクタの構造図である。同図において、２２は光ファイバ増幅器１の外板、２３は光ファイバ増幅器１の外板２２に設置された光コネクタ、２４は光コネクタ２３が外板２２から外れた時に機械的に動作して光コネクタ２３の開口部を遮断するためのシャッタ、２５は光ファイバである。
【０００９】
即ち、この従来の光コネクタ構造は、光コネクタ２３の外部に機械的に動作するシャッタを設置して、光出力が外に漏れないようにする構造である。
【００１０】
【特許文献１】
特開平４−１７７８３７号公報
【００１１】
【発明が解決しようとする課題】
従来の光ファイバ増幅器における出力光コネクタ外れ検出方法では、次のような問題点があった。
第１に、図９の方法によれば、光ファイバ増幅器単体では出力光コネクタ外れが発生しても動作しないため、自己の光ファイバ増幅器においては出力光コネクタ外れは検出できず、システム全体で用いる必要があった。また、伝送信号上の下流から上流にかけて光コネクタ外れ信号を戻す必要があった。
【００１２】
第２に、図１０の方法によれば、光カプラとその光コネクタ外れを検出するためのフォトダイオードが必要であり、このフォトダイオードはコストが高く、経済性の面からフォトダイオードを削除したいとする要望があった。これは、光コネクタ外れ検出における、反射光のレベルが約１４ｄＢ程度低下したレベルである光レベル信号のため、フォトダイオード等の温度特性における暗電流条件などが厳しくなり、高コストとなるからである。また、出力光においては、出力光コネクタ外れの信号と出力光レベルを比較するため低レベルの直流増幅が必要であり、回路の温度ドリフト、フォトダイオードの暗電流温度特性などを考慮した設計が必要である。
【００１３】
第３に、図１１の方法によれば、機械式にコネクタが外れた場合にシャッタを閉じる構造は、コネクタ形状が複雑で形状が大きくなること、及び、機械的なばねの信頼度を保つ必要があった。
本発明は、上記の従来の問題点を解決し、以下の光ファイバ増幅器および光出力コネクタ外れ検出方法を提供する。すなわち、
（１）戻り光検出用にフォトダイオードを使用しない光ファイバ増幅器および出力光コネクタ外れ検出方法、
（２）直流信号差動増幅器を使用しない光ファイバ増幅器および出力光コネクタ外れ検出方法、
（３）機械的な動作を用いない光ファイバ増幅器および出力光コネクタ外れ検出方法、
（４）光信号入力が無い場合も予備警報として光りコネクタ外れ検出を行なう光ファイバ増幅器および出力光コネクタ外れ検出方法、
を提供することを課題とする。
【００１４】
【課題を解決するための手段】
上記課題を解決するための第１の発明は、光伝送路の損失を光ファイバ上で補填する光ファイバ増幅器において、増幅用の励起レーザダイオード光源に変調信号を印加する手段と、前記励起レーザダイオード光源からの被変調信号を後段の光出力モニタで受信する手段と、出力光コネクタで反射した前記光ファイバ増幅器の戻り光を前段の光入力モニタで受信する手段と、前記被変調信号と前記戻り光を検波し、その差分を比較することにより出力光コネクタ外れを検出する手段とを備えている。
【００１５】
この第１の発明によれば、フォトダイオードで検出し、検出増幅回路においても交流増幅器を用いることができるため、直流ドリフトに起因するドリフト成分を無視することができる。また、高コストのフォトダイオードを用いることを行わずに、光ファイバ増幅器の入力段と出力段のモニタ用フォトダイオードのみで出力光コネクタ外れを検出可能な光ファイバ増幅器を提供できる。
【００１６】
第２の発明は、光伝送路の損失を光ファイバ上で補填する光ファイバ増幅器において、増幅用の励起レーザダイオード光源に変調信号を印加する手段と、前記励起レーザダイオード光源からの被変調信号をレーザダイオード内蔵の後方フォトダイオードで受信する手段と、前記励起レーザダイオード光源の一部を出力光コネクタに送出する一方、出力光コネクタで反射した前記光ファイバ増幅器の戻り光を前段モニタで受信する手段と、前記被変調信号と前記戻り光を検波しその差分を比較することにより出力光コネクタ外れを検出する手段とを備えている。
【００１７】
この第２の発明によれば、高コストのフォトダイオードを用いずに、光ファイバ増幅器の入力段と出力段のモニタ用フォトダイオードのみで出力光コネクタ外れを検出可能な光ファイバ増幅器を提供できる。
第３の発明は、光伝送路の損失を光ファイバ上で補填する光ファイバ増幅器において、前記励起レーザダイオード光源と異なる光コネクタ外れ検出用レーザダイオード光源に変調信号を印加する手段と、前記光コネクタ外れ検出用レーザダイオード光源からの被変調信号を受信する手段と、前記光コネクタ外れ検出用レーザダイオード光源の発射光を出力光コネクタに送出する一方、出力光コネクタで反射した前記光ファイバ増幅器の戻り光を前段モニタで受信する手段と、前記被変調信号と前記戻り光を検波し、その差分を比較することにより出力光コネクタ外れを検出する手段とを備えている。
【００１８】
この第３の発明によれば、励起レーザダイオード光源を光コネクタ外れの信号として用いていないため、増幅動作をしていない場合においても出力コネクタ外れを検出可能な光ファイバ増幅器を提供できる。
第４の発明は、出力光コネクタ外れ検出方法であって、増幅用の励起レーザダイオード光源に変調信号を印加するステップと、前記励起レーザダイオード光源からの被変調信号を後段の光出力モニタで受信するステップと、出力光コネクタで反射した前記光ファイバ増幅器の戻り光を前段の光入力モニタで受信するステップと、前記被変調信号と前記戻り光を検波し、その差分を比較することにより出力光コネクタ外れを検出するステップとを含んでいる。
【００１９】
この第４の発明によれば、戻り光の検出用に高コストのフォトダイオードを用いる必要がなく、光ファイバ増幅器の入力段と出力段のモニタ用フォトダイオードのみで出力光コネクタ外れ検出方法を提供できる。
第５の発明は、出力光コネクタ外れ検出方法であって、前記励起レーザダイオード光源と異なる光コネクタ外れ検出用レーザダイオード光源に変調信号を印加するステップと、前記光コネクタ外れ検出用レーザダイオード光源からの被変調信号を受信するステップと、前記光コネクタ外れ検出用レーザダイオード光源の発射光を出力光コネクタに送出する一方、出力光コネクタで反射した前記光ファイバ増幅器の戻り光を前段モニタで受信するステップと、前記被変調信号と前記戻り光を検波し、その差分を比較することにより出力光コネクタ外れを検出するステップとを含んでいる。
【００２０】
この第５の発明によれば、光ファイバ増幅器が増幅動作をしていない場合においても出力コネクタ外れを検出可能な出力コネクタ外れ検出方法を提供できる。
【００２１】
【発明の実施の形態】
以下、本発明の実施の形態について、図を参照しながら説明する。なお、全図を通じて理解を容易とするために同様箇所には、同一符号を付して示すものとする。
図１は、本発明第１の一実施形態における光ファイバ増幅器の構成図である。同図において、２は入力側に設けられた入力光コネクタ、３は光フィルタ、４は入力された信号光を分岐する光カプラ、５は信号光を所定レベルまで増幅するエルビューム添加ファイバ（ＥＤＦ）、６は出力光コネクタからの戻り光を分岐するビームスプリッタ、７は出力光コネクタ、８は光ファイバ増幅器の前段部分に設けられた入力信号光を受光してモニタするための入力光モニタフォトダイオード（ＰＤ）、９は光伝送路から光ファイバ増幅器への光信号入力の有無を検出する光入力断検出部、１０−１，１０−２は振幅変調を検波するバンドパスフィルタ（ＢＰＦ）、１１はＥＤＦ５を励起するための励起レーザダイオード光源（ＬＤ）、１２は励起レーザダイオード光源１１を駆動するレーザダイオード駆動回路、１３は光レベルを調整する自動レベル制御回路（ＡＬＣ）、１４は光ファイバ増幅器の後段部分に設けられた出力信号光を受光してモニタするための光出力モニタフォトダイオード、１５は出力光コネクタ外れの信号と出力光レベルを比較するための交流信号差動増幅器、１６は正弦波等の変調信号を発振する発振回路である。
【００２２】
図２は、レーザダイオード光源変調の原理図である。正弦波の入力電流を励起用レーザダイオード電流に重畳変調すると、同図に示すように光出力−ＬＤ電流特性が得られる。光ファイバ増幅器は、このレーザダイオード光源に数ＭＨｚの高速変調を印加しても、エルビューム添加ファイバ（ＥＤＦ）の応答時間が遅いため、増幅器出力としてはこの変調信号に追従せず、且つ外部に現れない。この特性を利用して光ファイバ増幅器の光出力モニタ光の振幅と、コネクタ外れに起因する戻り光の振幅変調を検波し、且つ差動増幅した電圧について、ある設定した電圧閾値を越えた場合に、出力コネクタ外れと認識して光増幅器内の光出力レベルを安全なレベルまで制御させる。
【００２３】
図３は図１の動作フローチャートである。
以下、図１の動作フローについて、図１を用いて説明する。
Ｓ１．入力された光信号は、前段の光入力モニタフォトダイオード（ＰＤ）８にて光入力の有無を検出する。
Ｓ２．光入力断検出部９にて、光ファイバ増幅器の動作及び停止状態を決定する。
【００２４】
Ｓ３．発振回路１６より正弦波など変調信号を励起レーザダイオード（ＬＤ）光源１１に印加する。
Ｓ４．光が入力されている状態においては増幅動作を行うため、エルビューム添加ファイバ（ＥＤＦ）５に入力光と励起光源が入力され、所定の光レベルまでの増幅動作が行われる。
【００２５】
Ｓ５．この光ファイバ増幅器の出力レベルを監視する後段の光出力モニタフォトダイオード（ＰＤ）１４にて受信し、バンドパスフィルタ（ＢＰＦ）１０−２にて変調振幅を検出する。
Ｓ６．光信号は、出力光コネクタの状態により反射レベルが増加するため、光入力モニタフォトダイオード（ＰＤ）においてこの反射光（戻り光）レベルを受信し、バンドパスフィルタ（ＢＰＦ）１０−１にて変調振幅を検出する。
【００２６】
Ｓ７．Ｓ５とＳ６で検出した両者の変調振幅の差分を差動増幅器１５にて比較する。
Ｓ８．Ｓ７により出力光コネクタの有無が判明し、出力光コネクタの外れを検出できる。
Ｓ９．出力光コネクタ外れを検出すると自動レベル制御回路（ＡＬＣ）１３を制御して光出力レベルを安全なレベルまで制御させる。
【００２７】
図４は、本発明第２の一実施形態における光ファイバ増幅器の構成図である。同図において、図１の本発明第１の一実施形態における光ファイバ増幅器の構成と異なる点は、励起レーザダイオード光源１１’内のレーザダイオードチップ後方出力モニタを常にモニタしており、光出力コネクタ外れ検出のために光ファイバ増幅器１内部の後段光出力モニタフォトダイオード１４を用いていないことと、励起光源の一部の光信号が異なる点である。その他については図１と同様である。
【００２８】
図５は図４の動作フローチャートである。
以下、図４の動作フローについて、図５を用いて説明する。
Ｓ１０．入力された光信号は、前段の光入力モニタフフォトダイオード（ＰＤ）８にて光入力の有無を検出する。
Ｓ１１．光入力断検出部９にて、光ファイバ増幅器の動作及び停止状態を決定する。
【００２９】
Ｓ１２．発振回路１６より正弦波など変調信号を励起レーザダイオード（ＬＤ）光源１１に印加する。
Ｓ１３．光が入力されている状態においては増幅動作を行うため、エルビューム添加ファイバ（ＥＤＦ）５に入力光と励起光源が入力され、所定の光レベルまでの増幅動作が行われる。
【００３０】
Ｓ１４．励起レーザダイオード光源１１’には、励起光出力光成分（ＬＤｌ）とレーザダイオードチップ後方モニタ用フォトダイオード（ＰＤ１）が設置される。このレーザダイオードチップ後方出力モニタ用フォトダイオード（ＰＤ１）は常にモニタされており、バンドパスフィルタ（ＢＰＦ）１０−２にて変調振幅を検出する。
【００３１】
Ｓ１５．光信号は、出力光コネクタ７の状態により反射レベルが増加するため、光入力モニタフォトダイオード（ＰＤ）においてこの反射光（戻り光）レベルを受信し、バンドパスフィルタ（ＢＰＦ）１０−１にて変調振幅を検出する。
Ｓ１６．Ｓ１４とＳ１５で検出した両者の変調振幅の差分を差動増幅器１５にて比較する。
【００３２】
Ｓ１７．Ｓ１６により出力光コネクタ７の有無が判明し、出力光コネクタの外れを検出できる。
Ｓ１８．出力光コネクタ外れを検出すると自動レベル制御回路（ＡＬＣ）１３を制御して光出力レベルを安全なレベルまで制御させる。
なお、この方法においては、光ファイバ増幅器１の出力光とチップ後方モニタ用フォトダイオード（ＰＤ１）の出力は、比例しないため、レベル補正回路１７で演算動作を行うことが必要である。
【００３３】
図６は、本発明第３の一実施形態における光ファイバ増幅器の構成図である。この場合は、光コネクタ外れ検出の光源に励起レーザダイオード光源１１を用いずに出力光コネクタ外れを検出する構成である。即ち、発振回路１６から正弦波等の振幅変調信号をＬＤドライバ１８経由で光コネクタ外れ検出用レーザダイオード光源２０に印加し、その出力を光ファイバ増幅器１とともに出力する構成をとる。
【００３４】
図７は図６の動作フローチャートである。
以下、図６の動作フローについて、図７を用いて説明する。
Ｓ１９．入力された光信号は、前段の光入力モニタフォトダイオード（ＰＤ）８にて光入力の有無を検出する。
Ｓ２０．光入力断検出部９にて、光ファイバ増幅器の動作及び停止状態を決定する。
【００３５】
Ｓ２１．光が入力されている状態においては増幅動作を行うため、エルビューム添加ファイバ（ＥＤＦ）５に入力光と励起光源が入力され、所定の光レベルまでの増幅動作が行われる。
Ｓ２２．発振回路１６より正弦波など変調信号を光コネクタ外れ検出用光源２０に印加し、バンドパスフィルタ（ＢＰＦ）１０−２にて変調振幅を検出する。
【００３６】
Ｓ２３．光信号は、出力光コネクタ７の状態により反射レベルが増加するため、光入力モニタフォトダイオード（ＰＤ）８においてこの反射光（戻り光）を受信し、バンドパスフィルタ（ＢＰＦ）１０−１にて変調振幅を検出する。
Ｓ２４．光コネクタ外れ検出用光源２０には、励起光出力光成分（ＬＤ２）とレーザダイオードチップ後方ＢＰモニタ用フォトダイオード（ＰＤ２）が設置される。このレーザダイオードチップ後方ＢＰモニタ用フォトダイオード（ＰＤ２）は常にモニタされており、バンドパスフィルタ（ＢＰＦ）１０−２にて変調振幅を検出する。
【００３７】
Ｓ２５．Ｓ２３とＳ２４で検出した両者の変調振幅の差分を差動増幅器１５にて比較する。
Ｓ２６．Ｓ２５により出力光コネクタ７の有無が判明し、出力光コネクタの外れを検出できる。
Ｓ２７．出力光コネクタ外れを検出すると自動レベル制御回路（ＡＬＣ）１３を制御して光出力レベルを安全なレベルまで制御させる。
【００３８】
【発明の効果】
以上説明したように、第１の発明によればフォトダイオードで検出し、検出増幅回路においても交流増幅器を用いることができるため、直流ドリフトに起因するドリフト成分を無視することができる。また、一般的に高コストのフォトダイオードを用いることを行わずに、光ファイバ増幅器の入力段と出力段のモニタ用フォトダイオードのみで出力光コネクタ外れ検出ができる。また第２の発明によれば第１の発明と同様に高コストのフォトダイオードのみで出力光コネクタ外れ検出ができる。更に、第３の発明によれば、励起ＬＤ光源を光コネクタ外れの信号として用いていないため、機械的な光コネクタの遮断を設けず、増幅動作をしていない場合においても、出力コネクタ外れを検出することが可能となる。
【図面の簡単な説明】
【図１】本発明第１の一実施形態における光ファイバ増幅器の構成図である。
【図２】レーザダイオード光源変調の原理図である。
【図３】図１の動作フローチャートである。
【図４】本発明第２の一実施形態における光ファイバ増幅器の構成図である。
【図５】図４の動作フローチャートである。
【図６】本発明第３の一実施形態における光ファイバ増幅器の構成図である。
【図７】図６の動作フローチャートである。
【図８】一般的な光ファイバ増幅器の模式図である。
【図９】従来技術による光入力断検出方法の説明図（その１）である。
【図１０】従来技術による光入力断検出方法の説明図（その２）である。
【図１１】従来技術による光コネクタはずれ時シャッタ付コネクタの構造図である。
【符号の説明】
１    光ファイバ増幅器
２    入力光コネクタ
３    光フイルタ
４−１、４−２、４−３、４−４    光カプラ
５    ユルビューム添付ファイバ（ＥＤＦ）
６    ビームスプリッタ
７    出力光コネクタ
８    入力モニタ用フォトダイオード
９    光入力断検出部
１０ー１、１０−２    バンドパスフィルタ（ＢＰＦ）
１１    励起レーザダイオード（ＬＤ）
１２    レーザダイオード駆動回路
１３    自動レベル制御回路（ＡＬＣ）
１４    光出力モニタ用フォトダイオード
１５    差動増幅器
１６    発振回路
１７    レベル補正回路
１８    レーザダイオードドライバ
１９    自動光量制御回路（ＡＰＣ）
２０    光コネクタ外れ検出用光源
２１    光コネクタ外れ検出用フォトダイオード
２２    外板
２３    光コネクタ
２４    シャッタ
２５    光ファイバ
【図１】
2005019567.tif 000003
【図２】
2005019567.tif 000004
【図３】
2005019567.tif 000005
【図４】
2005019567.tif 000006
【図５】
2005019567.tif 000007
【図６】
2005019567.tif 000008
【図７】
2005019567.tif 000009
【図８】
2005019567.tif 000010
【図９】
2005019567.tif 000011
【図１０】
2005019567.tif 000012
【図１１】
2005019567.tif 000013